(57)【要約】【課題】突風など大きな外力が加わった時だけ働く補強構造を備えた軽量構造物を提供する。【解決手段】テント１００は、互いに交差する複数の骨格材で形成された骨格ネットワークＢｎを有している。骨格ネットワークＢには、その側部を周方向に延びる補強ネットワークＴｎが組み込まれている。補強ネットワークＴｎは中継部材２２によって骨格ネットワークＢｎに遊びをもって連係されている【選択図】図３
2018059402.tif 000002
【特許請求の範囲】
【請求項１】
互いに交差する複数の骨格材で形成され、隣接する骨格材で囲まれた空所である複数の空領域を備えた骨格ネットワークを有する揺らぎ構造の軽量構造物であって、
前記骨格ネットワークの少なくとも側部において、その周方向に延びる補強ネットワークを有し、
該補強ネットワークは伸縮不能な複数の線状部材で構成され、
該補強ネットワークは、中継部材によって、前記骨格ネットワークに対して遊びをもって連係されていることを特徴とする軽量構造物
【請求項２】
前記骨格ネットワークによって支持される膜を更に有する、請求項１に記載の軽量構造物。
【請求項３】
前記骨格材が、アーチ状に撓み変形可能な材料で構成されている、請求項１又は２に記載の軽量構造物。
【請求項４】
前記補強ネットワークが、前記膜の面に対して鉛直方向に延びる複数の鉛直支柱を更に有し、該複数の鉛直支柱と前記複数の線状部材とで立体的な補強構造が形成されている、請求項１〜３のいずれか一項に記載の軽量構造物。
【請求項５】
前記骨格部材が、ポールで構成されている、請求項３に記載の軽量構造物。
【請求項６】
前記膜がシート材料で構成されている、請求項２に記載の軽量構造物。
【請求項７】
前記シート材料の前記膜に、前記補強ネットワークによって初期張力が付与されている、請求項６に記載の軽量構造物。
【請求項８】
前記骨格ネットワークの互いに交差する前記骨格材の交差部分において、２本の前記骨格材が立体交差している、請求項１、２又は７に記載の軽量構造物。
【請求項９】
前記補強ネットワークは、前記線状部材が、前記互いに交差する骨格材の交差部分に前記中継部材を介して連係されている、請求項１〜８のいずれか一項に記載の軽量構造物。
【請求項１０】
前記補強ネットワークは、前記線状部材が、前記互いに交差する骨格材の交差部分から離れた中間部分に前記中継部材を介して連係されている、請求項１〜８のいずれか一項に記載の軽量構造物。
【請求項１１】
前記軽量構造物が、前記骨格材を構成するポールと、前記膜を構成するテントシートとを有するテントであり、
該テントが、前記テントシートの外側に位置するフライシートと、該フライシートの頂部を強制的に持ち上げると共に前記テントシートの頂部を強制的に持ち上げると共に、これらフライシートとテントシートとを強制的に離間させる持ち上げ機構とを有し、
該持ち上げ機構が、前記テントシートに連結された複数の突っ張り紐によって支持されて上方に向けて延びると共に前記テントシートの貫通孔を通って前記フライシートの頂部まで延びる垂直支柱を有し、
該垂直支柱は、前記テントシートの前記貫通孔と係合するフランジを有し、該フランジによって前記テントシートの頂部を上方に持ち上げる、請求項２に記載の軽量構造物。
【請求項１２】
前記補強ネットワークが複数の鉛直支柱を更に有し、該複数の鉛直支柱と前記複数の線状部材とで立体的な補強構造が形成されている、請求項１１に記載の軽量構造物。
【発明の詳細な説明】
【技術分野】
【０００１】  本発明は、揺らぎ構造の軽量構造物に関し、より詳しくは、軽量構造物が強風により変形したときに働く補強構造を備えた軽量構造物に関する。
【背景技術】
【０００２】  １９６２年、米国バックミンスター・フラー（Ｒｉｃｈａｒｄ  Ｂｕｃｋｍｉｎｓｔｅｒ  Ｆｕｌｌｅｒ）が提案するテンセグリティ構造に特許が付与された（特許文献１）。テンセグリティ構造は、不連続な圧縮材と、引張材（テンション材）で形成された張力ネットワークと、を統合した組み合わせで構成され、引張材に初期張力を付与して張力ネットワークを通じて圧縮材に圧縮力を付与することで適度な剛性を備えた軽量構造物を作ることができる。【０００３】  テンセグリティ構造は、史上最軽量の構造体を作ることができると注目されているが、構造物を作り上げる組立工程や完成した後の構造物の管理に非現実的な難しさがあるため、美術品もしくは概念を表す模型作品として展示されるに止まっている。建築作品としては大学施設内の構造実験棟などが有るが、今現在に至っても理論に止まり広く普及するレベルに達しているとは、到底、言い難い。【０００４】  すなわち、テンセグリティ構造は、張力ネットワークの所定位置に圧縮材を配置する必要があるが、テンセグリティ構造体を組み立てる時に圧縮材を正確に位置決めするのが難しい。また、圧縮材に適度な圧縮力を付与するのに引張材の厳密な長さ調整つまり張力の正確性が必要であるという問題がある。組み立て後、時間の経過と共に引張材の伸び変形や圧縮材の変位が考えられるため、定期的に専門家の指導の下で引張材の微調整や圧縮材の位置調整が必要となる等、その維持管理に多大な困難が伴う。【０００５】  テンセグリティ構造を実用化する一つのアプローチとして、圧縮材を連続させたテンセグリティ構造が提案されている（特許文献２）。【０００６】  バックミンスター・フラーは、実施可能な軽量構造物として、ノースフェース社などと共同して１９７８年にテントを開発した。このテントは、三角形により球面を分割することでテントシートを球面に近づけるジオデジックドーム構造を採用している。このテントは「２メータードーム・テント」と呼ばれている。【０００７】  ２メータードーム・テントは半球形状を有し、その骨格ネットワークは１２本のアーチ状に撓み変形可能なポール（アルミニウム製）で構成されている。各ポールは、互いに交差する小円に沿って配置されることにより骨格ネットワークを作る。骨格ネットワークは、立体交差するポールで囲まれた複数の五角形、六角形、三角形の空領域を有する。すなわち、骨格ネットワークは球の大円を等間隔でオフセットさせて並行に走る２本の小円を組として、この組を６つ用意することで構成されている。この「２メータードーム・テント」は広義のジオデジックドーム構造であるといえる。この種のテントは「ジオデジックドーム・テント」に分類されている。【０００８】  ２メータードーム・テントのテントシートには、ポールが挿通されるスリーブが設けられ、このスリーブにポールを挿通させることでテントを容易に組み立てることができ、ポールはアーチ状に撓み変形した状態になる。この撓み変形したポールはテントシートに初期張力を与える。【０００９】  ２メータードーム・テントは、底部が直径４メートルと比較的大型であり且つ構造的に安定しているため、上級登山者のベースキャンプ、特に通信基地として活用さ���ている。【００１０】  テントは軽量構造物の典型例である。ジオデジックドーム・テントは、互いに交差するポールによって形成される空領域の形状が、（１）五角形、六角形、三角形の領域の組み合わせ（特許文献３）、（２）五角形、三角形の領域の組み合わせ、（３）六角形、三角形の領域の組み合わせ、これらの変形例（特許文献４、５）など様々である。【００１１】  既に提案されているテントはジオデジックドーム・テントに限られない。互いに交差したポールの数を少なくした簡易テントも上市されている。また、蒲鉾型のテントも既に提案されている。【００１２】  テントを典型例とする軽量構造物は、レジャー用、災害時用、登山用、農業用などの様々な用途に応じた形態及び構造が実用化されており、半球や蒲鉾に限られない。
【先行技術文献】
【特許文献】
【００１３】
【特許文献１】米国特許第３０６３５２１号公報
【特許文献２】特開平９−１６６２８６号公報
【特許文献３】米国特許第３８６３６５９号公報
【特許文献４】米国特許第４２６５２５９号公報
【特許文献５】米国特許第８６０２０４４号公報
【発明の概要】
【発明が解決しようとする課題】
【００１４】  「仮設プレハブ」と呼ばれる建築物は、簡易事務所、簡易作業所、倉庫などに数多く用いられている。この仮設プレハブは、その骨格材が例えば鉄骨で構成され、また、要所要所、ブレース構造で補強することで仮設建築物としての強度と剛性を確保している。これとの対比で、上述した軽量構造物は風や外力に対して「柔」の構造つまり「揺らぎ」の構造を有していると云うことができるが、組み立てに必要な時間は圧倒的に短時間である。このことから、災害時の救助活動の場面などで有用である。【００１５】  したがって、軽量構造物は、レジャー用テントだけでなく、被災地での救護活動拠点、例えば治療室、通信施設、仮住居からトイレまでの居住空間を迅速に提供できる可能性を含んでいる。【００１６】  この要請に応じるには、上述した「揺らぎ」構造の軽量構造物が備える風や雪などの短期荷重に対する耐力と剛性の向上が望まれる。この要請に応じるべく、ポールなどの骨格材を太くする、骨格材の本数を多くするなどの設計を行った場合には、組み立てる前の状態において軽量構造物ユニットの容積及び重量が増大してしまうだけでなく、製造コストの増大を招く。【００１７】  本願発明者らは、「揺らぎ」構造の軽量構造物の基本的な構成要素つまり典型的にはポールやテントシートで強風に対する耐力の向上を図るのではなく、基本構造に付加する補強構造で強風対策すれば、軽量構造物の構成要素の数が増えるものの組み立て性の悪化や製造コストを抑えることができる、と着想し、さらに、所定以上の外力が例えばテントシートに作用した時だけに働く補強構造を採用すれば、軽量構造物の組み立て容易性を損なうことを抑制できるとの着眼点に立脚した結果、本発明を案出するに至ったものである。【００１８】  本発明の目的は、突風など大きな外力が加わった時だけ働く補強構造を備えた軽量構造物を提供することにある。
【課題を解決するための手段】
【００１９】  上記の技術的課題は、本発明によれば、
互いに交差する複数の骨格材で形成され、隣接する骨格材で囲まれた空所である複数の空領域を備えた骨格ネットワークを有する揺らぎ構造の軽量構造物であって、
前記骨格ネットワークの少なくとも側部において、その周方向に延びる補強ネットワークを有し、
該補強ネットワークは伸縮不能な複数の線状部材で構成され、
該補強ネットワークは、中継部材によって、前記骨格ネットワークに対して遊びをもって連係されていることを特徴とする軽量構造物を提供することにより達成される。【００２０】  本発明は、典型的には、前記骨格ネットワークによって支持される膜を有する。本発明の揺らぎ構造の軽量構造物の典型例は、骨格材が典型的にはポールで構成されたテントである。この典型例の軽量構造物の上記膜はテントシートで構成される。【００２１】  本発明の軽量構造物の典型例はジオデジックドーム・テントであるが、これに限定されない。互いに交差する骨格材で形成された骨格ネットワークを備えた軽量構造物であれば、本発明を適用することができる。テントは本発明の典型例に過ぎない。また、本発明は、半球型テント、蒲鉾型テント、その他の様々な形態の軽量構造物に適用可能である。現在市販されている、また、将来市販される各種の用途の軽量構造物に本発明を適用可能である。用途として、レジャー用、災害時用、登山用、農業用の他に、従来であれば、仮設プレハブが適用される各種作業場、被災地での救護活動拠点、例えば治療室、通信施設、仮住居やトイレなどの居住施設に利用可能な軽量構造物を含む。【００２２】  図１を参照して、図示の第１骨格ネットワークＢｎ（１）は天頂部が五角形の天頂空領域で構成され、また、その下の側部において、周方向に連続する５つの五角形の第１側部空領域を有し、そして隣接する２つの第１側部空領域の間に三角形の第２側部空領域を有する構成を有する。すなわち、第１骨格ネットワークＢｎ（１）は、赤道を構成する円環状の骨格材２と、この円環状の赤道骨格材２に下端が合流する５本の骨格材４で構成され、この５本の骨格材４は大円に沿って延びている。第１骨格ネットワークＢｎ（１）はイコシドデカヘドロン（Ｉｃｏｓｉｄｏｄｅｃａｈｅｄｒｏｎ）つまり準正３２面体に基づいている。骨格材２、４の典型例は、アーチ状に撓み変形可能な断面円形のポールであるが、予めアーチ状に形作られた材料で骨格材２、４を構成してもよい。また、骨格材２、４の断面形状は円形に限定されず、例えば断面矩形であってもよい。また、骨格材２、４は中空材料で構成してもよく、中実材料で構成してもよい。【００２３】  また、骨格部材２、４の各々は、一本の成型品であってもよいし、複数の骨格材料を連結したものであってもよい。また、骨格部材２、４の各々は、その長手方向に折り畳み可能な構造を有していてもよい。【００２４】  以下に、テントを例に本発明を説明する。このことから、骨格材を「ポール」と呼ぶ。第１骨格ネットワークＢｎ（１）によって形成される半球型テントはジオデジックドーム・テントに属する。準正３２面体は例示であり、他の多面体、例えば、準正１４面体又は準正２６面体に基づいて第１骨格ネットワークＢｎ（１）を形成してもよい。【００２５】  図２は、上記の半球状のテントの赤道から南半球に延長した形状のテントの第２骨格ネットワークＢｎ（２）を示す。この第２骨格ネットワークＢｎ（２）は、上記の５本の大円ポール４が赤道ポール２よりも下方に延長されて、隣接する大円ポール４の下端が互いに合流した構成を有している。【００２６】  図３は、第２骨格ネットワークＢｎ（���）を例に第１補強ネットワークＴｎ（１）を説明する。第２骨格ネットワークＢｎ（２）は、その側部に位置する５つの五角形の第１側部空領域Ｒ（１）を有する。第１補強ネットワークＴｎ（１）は、この第１側部空領域Ｒ（１）を５つの三角形で分割するように配置された伸縮不能な線状部材６で構成された補強構造を有している。図３において、線図の錯綜を避けるために、線状部材６を太い鎖線で図示してある。補強構造の５つの三角形の頂点Ｃは、大円ポール４で形成される五角形の第１側部空領域Ｒ（１）の中心に位置している。【００２７】  第１補強ネットワークＴｎ（１）は、隣接する第１側部空領域Ｒ（１）の線状部材６の端に連結された中継部材を介して、典型的にはリング（後に説明する「リング２２」）を介して第２骨格ネットワークＢｎ（２）に遊びをもって連係されている。そして、第１補強ネットワークＴｎ（１）は、第２骨格ネットワークＢｎ（２）の側部を周方向に連続的に延びている。すなわち、第１補強ネットワークＴｎ（１）は、テントの側部を丁度「腹巻き」のように周方向に連続している。【００２８】  第１補強ネットワークＴｎ（１）は、線分長さを有する複数の線状部材６で構成されている。線状部材６は、引っ張り力に強い材料、例えば、炭素鋼、高強度鋼、ステンレス、ポリエステル、アラミド繊維などの材料で作られた伸縮不能な部材である。すなわち、線状部材６は、紐、ケーブル、ワイヤなどで構成することができる。ここに、「伸縮不能」という用語は、ヤング係数が非常に高い、という意味であり、完全に伸縮不能という意味ではなく、「実質的に」という意味を含む、と理解されたい。【００２９】  第１補強ネットワークＴｎ（１）と第２骨格ネットワークＢｎ（２）とを遊びをもって連結するリングには、ポール４が挿入される。リングとポール４との間には遊びがある。すなわち、リングは、大円ポール４の交差部分つまり第２骨格ネットワークＢｎ（２）の節つまり互いに交差する大円ポール４、４の交差部分に配置されている。リングとポールとの間には上述したように一定の遊びを有している。換言すれば、第１補強ネットワークＴｎ（１）は、第２骨格ネットワークＢｎ（２）の互いに交差する大円ポール４、４の交差部分にリジッドに連結されていない。上記の遊びによって、骨格ネットワークＢｎが大きく変形しない限り、補強ネットワークＴｎと骨格ネットワークＢｎとの連係を実質的に断絶した状態にすることができる。【００３０】  図４は、第２補強ネットワークＴｎ（２）を示す。第２補強ネットワークＴｎ（２）は、第２骨格ネットワークＢｎ（２）の側部の第１側部空領域Ｒ（１）つまり五角形の側部空領域Ｒ（１）が内接する五角形を形成するように配置された線状部材６で構成されている。すなわち、第２補強ネットワークＴｎ（２）の五角形の各辺を構成する線状部材６の長さ方向中間点が、第２骨格ネットワークＢｎ（２）の節つまり互い交差する大円ポール４、４の交差部分に上述したリングを介して連係され、リングと大円ポール４とは一定の遊びを有している。【００３１】  第２補強ネットワークＴｎ（２）を構成する線状部材６は、上記の図３で説明した第１補強ネットワークＴｎ（１）を構成する線状部材６と同じである。また、第２補強ネットワークＴｎ（２）は、第１補強ネットワークＴｎ（１）と同様に、テントの側部を丁度「腹巻き」のように周方向に連続している。【００３２】  図５は、第３補強ネットワークＴｎ（３）を示す。第３補強ネットワークＴｎ（３）は、骨格ネットワークの第１側部空領域Ｒ（１）つまり五角形の側部空領域Ｒ（１）が５本の線状部材６で５つの領域に分割され、また、第１側部空領域Ｒ（１）に隣接する第２側部空領域Ｒ（２）つまり三角形の側部空領域Ｒ（２）が３本の線状部材６で３つの領域に分割されている。そして、これらの線状部材６の各線分長さの端が骨格ネットワークＢｎ（２）の隣接する節の中間部分つまり互いに交差する大円ポール４の隣接する２つの交差部分から離れた位置、典型的には２つの交差部分の中間部分にリングを介して連係され、リングと大円ポール４とは一定の遊びを有している。【００３３】  第３補強ネットワークＴｎ（３）を構成する線状部材６は、上記の図３で説明した第１補強ネットワークＴｎ（１）を構成する線状部材６と同じである。また、第３補強ネットワークＴｎ（３）は、第１、第２補強ネットワークＴｎ（１）、Ｔｎ（２）と同様に、テントの側部を丁度「腹巻き」のように周方向に連続している。ポール４の長手方向中間部分にリングを配置することで、ポール４の座屈長さが短くなり強度が上がるという利点がある。【００３４】  図３〜図５を参照して例示的に説明した第１ないし第３補強ネットワークＴｎ（１）〜Ｔｎ（３）は、単独で骨格ネットワークＢｎに組み込んでもよいし、例えば２つの種類の異なる補強ネットワークＴｎを骨格ネットワークＢｎに組み込んだテントを設計してもよい。例えば、第１補強ネットワークＴｎ（１）（図３）と第２補強ネットワークＴｎ（２）（図４）の種類の異なる２系統の補強ネットワークＴｎ（ｉ）、Ｔｎ（ｉｉ）を骨格ネットワークＢｎに組み込んだテントを設計してもよい。【００３５】  例示した第１乃至第３補強ネットワークＴｎ（１）〜Ｔｎ（３）を構成する線状部材６には、初期張力を付与する必要はない。また、各線状部材６の長さ寸法の管理に神経質になる必要はない。【００３６】  ポール、テントシートはテントの基本構成要素であり、そして「揺らぎ」構造を作る。外力がテントシートに作用すると、この外力はテントシートを介してポールに作用してポールを変形や変位させる。ポールが変形や変位すると、これをテントシートが受けてテントシートはポールを原位置に戻す働きをする。これがテントの「揺らぎ」である。【００３７】  テントの側部に「腹巻き」のように配置される第１乃至第３補強ネットワークＴｎ（３）Ｔｎ（１）〜Ｔｎ（３）は、テントシートが所定以上の外力を受けて変形したときに、補強ネットワークＴｎが骨格ネットワークＢｎと連係してテントの耐力、剛性を高める。例えば突風が吹いてテントシートに突然大きな荷重が作用すると、この外力がテントシートを介してポールに作用してポールを大きく変形、変位させる。ポールが大きく変形、変位すると、ポールがリングに圧接してリングの位置を変化させる。このリングの変位は補強ネットワークに張力を与える。換言すれば、ポールとテントシートを介して流していた外力が補強ネットワークＴｎに流れる。これにより補強ネットワークはテントの耐力と剛性を高める。これが補強ネットワークによる典型的な補強効果である。【００３８】  すなわち、テントは、常時は補強ネットワークが働くことなく、テントシートとポールによって「揺らぎ」により外力に耐える。すなわち、上述した例で説明すると、リングとポールとの間の一定の遊びによって、常時は、補強ネットワークは骨格ネットワークとの連係が断絶された状態にある。例えば突風や台風など強い風をテントが受けたときに、補強ネットワークが骨格ネットワークと連係して補強ネットワークにスイッチが入り、その補強効果を発揮して、テントの耐力、剛性を高める。【００３９】  風を例に説明したが、補強ネットワークが、テントの側部を「腹巻き」のように取り囲んでいるため、積雪によりテントの頂部に大きな短期荷重が作用してテントの側部が外方に膨らむと、その変形によって補強ネットワークにスイッチが入り、テントの側部の剛性を高めることができる。【００４０】  補強ネットワークは、図３、図４から分かるように、大地にアンカーしてもよい。また、図２、図３などに参照符号Ｒ（３）で示す天頂部の五角形の空領域にも補強構造（線状部材６）を設けることで、骨格ネットワークＲｎの天頂空領域Ｒ（３）を含むテントの全域を補強ネットワークＴｎで包囲する構成を採用してもよい。第３補強ネットワークＴｎ（３）は実質的にこの構成を有している。これによれば、テントは、その天頂部から側部まで連続的に広がる丁度「キャップ」のような形態の補強ネットワークＴｎを備えることになる。【００４１】  本発明の軽量構造物の典型例は、上述したように、ジオデジックドーム・テントである。図６は、準正１４面体（Ｒｏｍｂｉｃｕｂｏｃｔａｈｅｄｒｏｎ）に基づいて設計した第３骨格ネットワークＢｎ（３）を示す。第３骨格ネットワークＢｎ（３）は、赤道ポール２と、３本の大円ポール４とで構成されている。図７は、準正２６面体（Ｒｏｍｂｉｃｏｓｉｄｏｄｅｃａｈｅｄｒｏｎ）に基づいて設計した第４骨格ネットワークＢｎ（４）を示す。第４骨格ネットワークＢｎ（４）は小円に沿って延びる小円ポール８で構成され、６本の小円ポール８が互いに交差している。これら第３、第４の骨格ネットワークＢｎ（３）、Ｂｎ（４）から作られるテントはジオデジックドーム・テントに属する。【００４２】  本発明の軽量構造物は、球形（全球、半球など）に限定されない。図８ないし図１１は蒲鉾型テントに適用可能である。図９は、蒲鉾型テントに向けて設計した第５骨格ネットワークＢｎ（５）を例示的に示す。第５骨格ネットワークＢｎ（５）は、２つの端部分Ｅｄと中間部分Ｉｍとを有する。２つの端部分Ｅｄは、夫々、準正３２面体（図１参照）に基づいて設計されており、五角形の空領域Ｒ（１０）と三角形の空領域Ｒ（１１）とを有している。２つの端部分Ｅｄを合体させると準正３２面体になる。すなわち、各端部分Ｅｄは赤道ポール２と大円ポール４で構成されている。【００４３】  中間部分Ｉｍも準正３２面体を基本として変形が加えられている。中間部分Ｉｍは、五角形を六角形に置換した空領域Ｒ（１２）と、この六角形空領域Ｒ（１２）に隣接して位置する三角形の領域Ｒ（１３）とで構成され、この中間部分Ｉｍの骨格構造は、赤道ポール２に相当する追加の第１ポール８（１）と、上記端部分Ｅｄの大円ポール４を延長した追加の第２ポール８（２）で構成されている。【００４４】  図９乃至図１１を参照して、第５骨格ネットワークＢｎ（５）には第４ないし第６の補強ネットワークＴｎ（４）ないしＴｎ（６）が組み付けられている。【００４５】  図９に図示の補強ネットワークＴｎ（４）は、第５骨格ネットワークＢｎ（５）に含まれる全ての五角形空領域Ｒ（１０）及び六角形空領域Ｒ（１２）に線状部材６で構成される補強構造が組み込まれ、これらの領域Ｒ（１０）、Ｒ（１２）の補強構造が、上述したリングによって一体化されている。【００４６】  図１０に図示の補強ネットワークＴｎ（５）は、第５骨格ネットワークＢｎ（５）に含まれる五角形空領域Ｒ（１０）及び六角形空領域Ｒ（１２）のうち、中間部分Ｉｍの上部に位置する六角形空領域Ｒ（１２）の補強構造が省かれた構成を有している。【００４７】  図１１に図示の補強ネットワークＴｎ（６）は、第５骨格ネットワークＢｎ（５）に含まれる五角形空領域Ｒ（１０）及び六角形空領域Ｒ（１２）のうち、上部に位置する五角形空領域Ｒ（１０）及び六角形空領域Ｒ（１２）の補強構造が省かれた構成を有している。【００４８】  図９乃至図１１に図示の補強ネットワークＴｎ（４）〜Ｔｎ（６）は、蒲鉾型の第５骨格ネットワークＢｎ（５）の下部に位置する五角形空領域Ｒ（１０）及び六角形空領域Ｒ（１２）の補強構造が上述したリングによって一体化され、そして、リングを介して第５骨格ネットワークＢｎ（５）に遊びをもって連係されている点で共通している。すなわち、蒲鉾型の第５骨格ネットワークＢｎ（５）は、その側部を丁度「腹巻き」のように周方向に連続した補強ネットワークを有し、この補強ネットワークが第５骨格ネットワークＢｎ（５）に遊びをもって連係されている。【００４９】  以上、ジオデジックドーム・テントを例に本発明を説明したが、本発明は、互いに交差する骨格材で形成された骨格ネットワークを備えた軽量構造物に適用できるのは上述した通りであり、ジオデジックドーム・テントに限定されない。本発明は、例えば半球、半球以上の例えば全球を含むジオデジックドームだけでなく、例えばテンセグリティ構造に対する補強など特許請求の範囲で規定する揺らぎ構造の軽量構造物又はその均等物に対して適用可能である。
【図面の簡単な説明】
【００５０】
【図１】本発明に含まれる骨格ネットワークの第１の例を示す図である。
【図２】本発明に含まれる骨格ネットワークの第２の例を示す図である。
【図３】図２の第２の例の骨格ネットワークに第１の補強ネットワークを組み込んだ構成を示す図である。
【図４】図２の第２の例の骨格ネットワークに第２の補強ネットワークを組み込んだ構成を示す図である。
【図５】図２の第２の例の骨格ネットワークに第３の補強ネットワークを組み込んだ構成を示す図である。
【図６】本発明に含まれる骨格ネットワークの第３の例を示す図である。
【図７】本発明に含まれる骨格ネットワークの第４の例を示す図である。
【図８】本発明に含まれる蒲鉾型の骨格ネットワークの例を示す図である。
【図９】図８に図示の骨格ネットワークに第４の補強ネットワークを組み込んだ構成を示す図である。
【図１０】図８に図示の骨格ネットワークに第５の補強ネットワークを組み込んだ構成を示す図である。
【図１１】図８に図示の骨格ネットワークに第６の補強ネットワークを組み込んだ構成を示す図である。
【図１２】実施例のテントを示す図であり、（ａ）はフライシートを装着する前のテントを示し、（ｂ）はフライシートを装着した後のテントを示す。
【図１３】図１２に図示のテントの正面図である。
【図１４】図１２に図示のテントの部分拡大図であり、補強ネットワークの図示を省いた図である。
【図１５】図１２に図示のテントの赤道よりも上の部分を示す図である。
【図１６】補強ネットワークを構成する補強部分を抽出した図である。
【図１７】補強ネットワークに含まれる中継部材の変形例を説明するための図である。
【図１８】補強ネットワークに含まれる中継部材の他の変形例を説明するための図である。
【図１９】フライシートを装着したテントの頂部を上方に突き上げるための突き上げ構造の構成を説明するための図である。
【図２０】テントシート及び補強ネットワークのアンカー部分の好ましい構成を説明するための図である。
【発明を実施するための形態】
【実施例】
【００５１】  以下に、添付の図面に基づいて本発明の好ましい実施例を説明する。【００５２】  実施例のテント１００は、図２を参照して説明した第２骨格ネットワークＢｎ（２）を含み、ジオデジックドーム・テントに属する。図１２はテント１００の斜視図である。図１２の（ａ）は、テントシート１２の外側に位置するフライシート１０を装着する前の状態を示し、図１２の（ｂ）はフライシート１０を装着した後の状態を示す。テント１００は、テントシート１２及びフライシート１０の下端に設けられたストラップＳ、Ｓ’を有し、このストラップＳ、Ｓ’の端をアンカー（ペグ）ＰＥＧによりテント１００を大地Ｇに係留することができる。【００５３】  図１３は、フライシート１０を装着していない状態のテント１００の正面図である。図１３から分かるように、赤道Ｅに沿って延びる赤道ポール２の一部を欠落させることにより入口部分Ｄが形成されている。【００５４】  図１４、図１５はテントシート１２の一部を抽出したテント１００の部分図である。テントシート１２は、赤道Ｅ及びこれよりも上の部分つまり半球部分において、赤道ポール２、大円ポール４を挿通するための複数のスリーブ１４を有している。複数のスリーブ１４の各々は、ポール２、４が挿通可能な袖状又は筒状の部材であり、ポール２、４が配置される位置に対応してテントシート１２の表面に配置（接合）されている。実施例のテント１００は、一つのスリーブ１４に一本のポール２又は４が挿通される。【００５５】  赤道Ｅよりも下の裾部分は、テントシート１２に一端が固定されたベルト又は紐部材１６が設けられており、このベルト又は紐部材１６の先端のフック（図示せず）を大円ポール４に係止することにより、テントシート１２の裾部分が大円ポール４に係止される。【００５６】  赤道ポール２、大円ポール４は、長期的な自重も短期的な強風時もテント全体を支持するための部材である。スリーブ１４に挿通されたポール２、４はテント１００の曲率に沿ってベンド可能である。赤道ポール２、大円ポール４によりテントシート１２を適度な剛性をもって支持すると共に、テントシート１２に初期張力を付与することができる。赤道ポール２、大円ポール４の各々は、好ましくは、分解可能又は長手方向に折り畳み可能に形成される。【００５７】  ２本の大円ポール４が交差する交差部分１８において、２本の大円ポール４はスリーブ１４によって立体交差される。赤道ポール２と大円ポール４の交差部分２０においても同様である（図１２の（ａ））。この立体交差部分１８、２０にはリング２２が配置される。【００５８】  リング２２は、前述した補強ネットワークＴｎの一部を構成する部材でもある。このリング２２を介して補強ネットワークＴｎが骨格ネットワークＢｎに遊びをもって連係される。図１５から良く分かるように、リング２２は、この中を通過する２本のポール、つまり赤道ポール２と大円ポール４又は２本の大円ポール４、４が余裕をもって通過可能な直径を有している。【００５９】  実施例のテント１００に含まれる補強ネットワークＴｎは、図３を参照して説明した第１補強ネットワークＴｎ（１）と基本構造は同じである。図１５を参照して、実施例に含まれる補強ネットワークＴｎの補強構造は、いわゆる「張弦梁」に類似した構造が採用されている。【００６０】  テント１００に含まれる五角形の各第１側部空領域Ｒ（１）には、その中心に、テントシート１２の面に対して鉛直方向に延びる鉛直支柱２４が位置している。そして、この鉛直支柱の上端及び下端とリング２２とが線状部材６によって連結されている（図１６）。リング２２に代えて、図１６に図示するように、任意であるが、紐や帯などの伸び変形不能且つ可撓性の連結部材２６によってテントシート１２に遊動可能に連結してもよい。線状部材６の端つまりリング２２に固定する部分に、例えばフック２８や線状部材６の長さ調整機構を設けるのが良い。この構成は必須ではないが、線状部材６の長さ調整を可能にすることで線状部材６の無用な弛みを除くことができる。線状部材６に初期張力を付与する必要はない。【００６１】  このような「張弦梁」に類した立体的な補強構造を各第１側部空領域Ｒ（１）に設けることで、フライシート１０とテントシート１２との間に隙間を強制的に作ることができる（図１６）。また、補強ネットワークＴｎは、特に台風、突風などテント１００に短期荷重が加わった時にテント１００の耐力、剛性を高めるのに効果的である。【００６２】  リング２２は、赤道ポール２や大円ポール４と線状部材６との間に「遊び」を付与しつつこれらを互いに連係するための部材である。リング２２は、この機能を奏するのであれば、金属製のリングに限定されない。図１７に示すように、リング２２を紐で構成してもよい。また、図１８に示すように、ポール４、４及び／又はポール２、４が互いに交差する部分に、複数のリング２２を配置させてもよい。【００６３】  図１９を参照して、実施例のテント１００は、第２骨格ネットワークＢｎ（２）（図２）に含まれる天頂空領域Ｒ（３）に突き上げ構造３０を有し、この突き上げ構造３０によって、テントシート１２の外側に位置するフライシート１０を強制的に上方に持ち上げると共にテントシート１２の頂部と強制的に離間させるようにしてある。【００６４】  突き上げ構造３０は、五角形の天頂空領域Ｒ（３）の中心に位置する垂直支柱３２を有し、この垂直支柱３２は、テントシート１２を貫通して垂直方向に延びている。垂直支柱３２の下端部は金属製リング３４によって受け止められ、この金属製リング３４は、五角形の天頂空領域Ｒ（３）の５つの頂点に延びる５本の突っ張り紐３６によってテントシート１２に連結されている。この突っ張り紐３６の端は、好ましくはテントシート１２に組み付けられた中継リング紐３８に連結されるのが好ましい。引っ張り紐３６や中継リング紐３８は、伸び変形を伴わないで適度に柔軟に変形可能な材料で構成するのがよい。【００６５】  垂直支柱３２は、その長手方向中間部分にフランジ４０を有し、このフランジ４０によってテントシート１２の貫通孔を規定する金属製リング４２を上方に持ち上げるようにしてテントシート１２を支持している。垂直支柱３２の上端は、フライシート１０の頂点に当接している。【００６６】  上記の突き上げ構造３０によって、フライシート１０の頂部が上方に突き上げられ、また、テントシート１２が上方に突き上げられると共にテントシ���ト１２フライシート１０とが強制的に上下に離間される。突き上げ構造３０に含まれる垂直支柱３２はテント１００を組み立てる過程で、後付けでテント１００に組み付けることができる。【００６７】  突き上げ構造３０が無いと、夜間の冷え込みなどで結露によりテントシート１２に発生した結露水がテントシート１２の頂部から雫となって落ちる。この問題に対して、突き上げ構造３０によって、テントシート１２を上方に突き上げ、また、テントシート１２とフライシート１０とが強制的に離間されて空気層が形成されている。この空気層によってテントシート１２の結露の問題を低減することができる。また、突き上げ構造３０によって、フライシート１０を強制的に上方に突き上げているため、雨道を作ることができ、また、降雪によってテント１００の頂部に雪が堆積するのを抑制することができる。【００６８】  突き上げ構造３０は、前述した第１補強ネットワークＴｎ（１）に直接的に連係されていない。このことから、テント１００に対して突風などにより変形したとしても、その影響を直接的に突き上げ構造３０に伝達することはない。換言すれば、雪の堆積による影響が第１補強ネットワークＴｎ（１）に直接的に伝達するのを抑制することができる。【００６９】  図２０は、テントシート１２及び補強ネットワークＴｎ（１）を構成する線状部材６を大地Ｇにアンカーする好ましい形態を説明するための図である。テントシート１２の下端にはストラップＳが複数設けられており、このストラップＳは長さ調整機構５０が設けられている。このストラップＳに線状部材６の下端を連結して、ストラップＳの長さ調整を行うことで、線状部材６の長さ調整も一緒に行うことができる。換言すれば、線状部材６を直接的にユーザに調整する設計にしたときに、ユーザは線状部材６に不必要に張力を与えてしまう虞がある。
【符号の説明】
【００７０】  Ｂｎ（２）  第２骨格ネットワーク
Ｔｎ（１）  第１補強ネットワーク
２  赤道ポール（骨格材）
４  大円ポール（骨格材）
６  線状部材（補強構造の要素）
１０  フライシート
１２  テントシート
１８  大円ポール同士の交差部分
２０  赤道ポールと大円ポールの交差部分
２２  リング（中継部材）
２４  鉛直支柱（補強構造の要素）
３０  突き上げ構造
３２  垂直支柱（突き上げ構造の要素）
３６  突っ張り紐（突き上げ構造の要素）
１００  実施例のテント
【図１】
2018059402.tif 000003
【図２】
2018059402.tif 000004
【図３】
2018059402.tif 000005
【図４】
2018059402.tif 000006
【図５】
2018059402.tif 000007
【図６】
2018059402.tif 000008
【図７】
2018059402.tif 000009
【図８】
2018059402.tif 000010
【図９】
2018059402.tif 000011
【図１０】
2018059402.tif 000012
【図１１】
2018059402.tif 000013
【図１２】
2018059402.tif 000014
【図１３】
2018059402.tif 000015
【図１４】
2018059402.tif 000016
【図１５】
2018059402.tif 000017
【図１６】
2018059402.tif 000018
【図１７】
2018059402.tif 000019
【図１８】
2018059402.tif 000020
【図１９】
2018059402.tif 000021
【図２０】
2018059402.tif 000022